(57)【要約】【課題】従来のセパレータで困難であった十分な遮蔽性と薄葉化を両立した電気化学素子用セパレータ及び、該セパレータを用いた電気化学素子を提供することを目的とする。【解決手段】  一対の電極間に介在し、繊維をシート状に形成した不織布から成り電解液を保持する電気化学素子用セパレータであって、不織布の空孔径０．０５〜１．００μｍの頻度が、全空孔の９０％以上、最頻空孔値の頻度を、全区間の頻度に対して６０％以上、セパレータの最頻空孔値±１０％の範囲の頻度を、全区間の頻度に対して７５％以上とすると十分な遮蔽性と薄葉化を両立し、電解液への濡れ性や保液性、耐熱性に特に優れた電気化学素子用セパレータとすることができる。【選択図】        なし【特許請求の範囲】
【請求項１】
一対の電極間に介在し、繊維をシート状に形成した不織布から成り電解液を保持する電気化学素子用セパレータであって、
前記不織布の空孔径０．０５〜１．００μｍの頻度が、全空孔の９０％以上であることを特徴とする電気化学素子用セパレータ。
【請求項２】
前記不織布の最頻空孔値の頻度が、全区間の頻度に対して６０％以上であることを特徴とする請求項１記載の電気化学素子用セパレータ。
【請求項３】
前記不織布の最頻空孔値±１０％の範囲の頻度が、全区間の頻度に対して７５％以上であることを特徴とする請求項１または請求項２記載の電気化学素子用セパレータ。
【請求項４】
前記不織布の空隙率が３５〜８０％であることを特徴とする請求項１乃至請求項３のいずれかに記載の電気化学素子用セパレータ。
【請求項５】
前記不織布の厚さが５〜３０μｍであることを特徴とする請求項１乃至請求項４のいずれかに記載の電気化学素子用セパレータ。
【請求項６】
前記不織布を形成する繊維は再生セルロース繊維を含むことを特徴とする請求項１乃至請求項５のいずれかに記載の電気化学素子用セパレータ。
【請求項７】
請求項１乃至請求項６いずれかに記載の電気化学素子用セパレータを用いたことを特徴とする電気化学素子。
【請求項８】
アルミニウム電解コンデンサ、電気二重層キャパシタ、リチウムイオンキャパシタ、リチウム一次電池、リチウムイオン二次電池のいずれかであることを特徴とする請求項７に記載の電気化学素子。
【発明の詳細な説明】
【技術分野】
【０００１】
本発明は、電気化学素子用セパレータ及び電気化学素子に関するものである。
【背景技術】
【０００２】
コンデンサやキャパシタ、電池といった電気化学素子は、近年、自動車関連機器などの新たな分野にも採用されてきており、今後も市場拡大は続くと予想されている。
例えば、電気自動車やハイブリッド自動車では電源等としてリチウムイオン二次電池が、エネルギー回生等には電気二重層キャパシタが、燃料噴霧や変速機、電子スロットル、アンチロックブレーキシステム等の電子制御ユニット（ＥＣＵ）及びモーター制御や電池制御、ＨＥＶシステム制御、外部交流電源からの直流変換にはアルミニウム電解コンデンサや電気二重層キャパシタが用いられたりしている。
こういった電気化学素子では、ショート不良が直ちに事故に結びつくおそれがあるため、高い信頼性が求められる。
【０００３】
また、電子機器に用いられる回路基板では、実装される電気化学素子への薄型化や小型化といった要望が大きい。また、携帯機器の電源に用いられる電気化学素子では、一度の充電で長時間使用できることも求められる。
【０００４】
基板上の電子素子への電力供給や交流電流の平滑化を目的として、基板上に実装されるアルミニウム電解コンデンサなどの電気化学素子が用いられるが、このような用途では、低背、小型であることが求められる。また、携帯機器の電源として用いられることの多いリチウムイオン二次電池には、小型かつ薄型でありながらも、長時間使用できるように高容量化も求められる。
【０００５】
こういった用途の拡大や、使用される機器の高性能化に伴い、電気化学素子には、これまで以上に、長期使用に耐えうる信頼性や、充放電特性や出力特性といった性能の向上が求められている。
このため、遮蔽性等の特性の向上を図る目的で種々の構成が提案されている（例えば、特許文献１、２。）。
【０００６】
特許文献１に記載されたセパレータは、溶剤紡糸セルロース繊維の叩解度と繊維長とを制御し、セパレータの緻密性と保液性とを共に向上させている。具体的には、溶剤紡糸セルロース繊維の叩解度と繊維長とを制御することで、セパレータの平均ポア径が０．１μｍ以上、且つ最大ポア径が６．０μｍ以下に制御して遮蔽性と電解液保持力を備えたセパレータとしている。
【０００７】
また、特許文献２に記載されたセパレータは、ポリオレフィン製微多孔膜からなるセパレータであり、フィルム形成後に延伸することにより、微細な孔を形成したセパレータとしている。
【先行技術文献】
【特許文献】
【０００８】
【特許文献１】ＷＯ２０１２／００８５５９
【特許文献２】特開２０００−１９８８６６号公報
【発明の概要】
【発明が解決しようとする課題】
【０００９】
しかしながら、特許文献１に記載されたセパレータは、叩解した溶剤紡糸再生セルロース繊維を使用した不織布であるセパレータが提案されているが、近年要求されている薄葉化に対応しようとすると、セパレータの遮蔽性が低下するため、高い遮蔽性能を維持したまま薄葉化することが困難であった。
また、特許文献２に記載されたセパレータは、素材がポリオレフィン製であり、電解液に対する濡れ性が低く、電解液を十分に保持できず、抵抗値が増大してしまうという問題が解決できない。
【００１０】
ポリオレフィン製の微多孔膜には、電気化学素子が高温になった際、セパレータが部分的に溶融、或いは収縮し、空孔を閉塞（シャットダウン）することで、電気化学素子に流れる電流を遮断し、電池が熱暴走を起こすほどの高温になることを防止する機能を有するものがある。
しかしながら、近年求められる高容量、高出力の電気化学素子では、流れる電流値も大きいので、前記したシャットダウンを生じて電流を遮断しても、電池内の発熱をおさえることが出来ずセパレータ全体が溶融（メルトダウン）し、内部短絡して熱暴走を引き起こす可能性があった。
本発明は、上記課題に鑑みてなされたもので、従来のセパレータで困難であった十分な遮蔽性と薄葉化を両立したセパレータ及び、該セパレータを用いた電気化学素子を提供することを目的として成されたものである。
【課題を解決するための手段】
【００１１】
上述した課題を解決し、上述した目的を達成する一手段として例えば、以下の構成を備える。
即ち、一対の電極間に介在し、繊維をシート状に形成した不織布から成り電解液を保持する電気化学素子用セパレータであって、前記不織布の空孔径０．０５〜１．００μｍの頻度が、全空孔の９０％以上であることを特徴とする。
【００１２】
そして例えば、前記不織布の最頻空孔値の頻度が、全区間の頻度に対して６０％以上であることを特徴とする。あるいは、前記不織布の最頻空孔値±１０％の範囲の頻度が、全区間の頻度に対して７５％以上であることを特徴とする。
【００１３】
また例えば、前記不織布の空隙率が３５〜８０％であることを特徴とする。さらに例えば、前記不織布の厚さが５〜３０μｍであることを特徴とする。
また例えば前記不織布を形成する繊維は再生セルロース繊維を含むことを特徴とする。
【００１４】
または、以上に記載したいずれかの電気化学素子用セパレータを用いたことを特徴とする電気化学素子とする。そして例えば、電気化学素子は、アルミニウム電解コンデンサ、電気二重層キャパシタ、リチウムイオンキャパシタ、リチウム一次電池、リチウムイオン二次電池のいずれかであることを特徴とする。
【発明の効果】
【００１５】
本発明によれば、十分な遮蔽性と薄葉化を両立した、電気化学素子用セパレータ及び小型化、ショート不良率が低減した、安全性の向上した電気化学素子が提供できる。
【発明を実施するための形態】
【００１６】
以下、図面も参照して本発明に係る一発明の実施の形態例を詳細に説明する。
以下の説明は、まず本発明を実施するための形態に係る電気化学素子用のセパレータについておこなう。電気化学素子としては、例えばアルミ電解コンデンサ、電気二重層キャパシタ、リチウムイオンキャパシタ、リチウム一次電池、リチウムイオン二次電池等が適用して好適なものである。
【００１７】
電気化学素子における、セパレータの主な役割は、一対の電極の隔離と電解液の保持である。一対の電極を隔離するために、セパレータには高い遮蔽性を有する事が求められる。電気化学素子の用途拡大に伴い、セパレータにも、これらの性能の向上が一層求められてきている。
また、セパレータの素材には、電気絶縁性が必要とされ、また様々な種類の電解液の保持のために、親液性（親電解液性）が求められている。
【００１８】
上述の性能を満たすセパレータ素材として、セルロースがある。セルロース繊維にせん断力を加えて処理（叩解）することで、繊維は微細化され、この微細化された繊維から紙・不織布を形成することで、非常に緻密なシートが得られる。
【００１９】
微細化されたセルロース繊維は、合成繊維などと比較して繊維長が短小であり、シートの間隙を埋めやすく、セパレータの遮蔽性を向上させることから、セルロース繊維からなるセパレータが広く採用され、電気化学素子のショート不良低減に寄与している。
【００２０】
本実施の形態のセパレータは、十分な遮蔽性と薄葉化を両立し、電解液への濡れ性や保液性、耐熱性に優れた電気化学素子用セパレータであり、具体的には、セパレータの空孔径０．０５〜１．００μｍの頻度（以下「Ａ値」と称する。）が、全空孔の９０％以上であるセパレータである。
【００２１】
なお、以下の説明における「空孔」とは、「ＡＳＴＭ  Ｆ０３１４−０３」に規定された方法で測定される空孔である。
また、「最頻空孔値」とは、「ＡＳＴＭ  Ｆ３１６−０３の『ＴＥＳＴ  ＭＥＴＨＯＤ  Ｂ』」に規定された方法で測定した空孔の空孔径分布の最頻値である。
【００２２】
本願発明者は、Ａ値が９０％以上の不織布は、非常に空孔径が小さく、且つ存在する空孔径のバラツキが小さいことを見出した。
Ａ値が９０％未満のとき、空孔の径が大きいか、空孔径のバラツキが大きくなる。
電気化学素子のショート不良率低減のためには、セパレータの遮蔽性が重要である。そしてセパレータの遮蔽性能を向上させるには、空孔径を小さくすることが重要である。
しかし、セパレータの空孔径が小さくするのみでは、遮蔽性能を一定のレベルから改善できないことを見出した。
【００２３】
これは、以下の理由によると考えられる。
電気化学素子、例えばリチウムイオン二次電池では、負極のリチウムイオンの濃度が高まると、リチウムが針状結晶（デンドライト）として析出する。そしてこのデンドライトは、セパレータの空孔中を徐々に成長していき、両電極を接触させ、ショートにいたる。
【００２４】
このデンドライトは、デンドライトの成長抵抗の小さい箇所、即ちセパレータの抵抗値の小さい所（セパレータの空孔が相対的に大きい箇所）を成長していくので、セパレータの空孔径を小さくするのみでは、セパレータの遮蔽性能向上に限界があったと考えられる。
また例えばキャパシタでも、セパレータの空孔が大きい箇所は、相対的に抵抗値が小さくなるため、この空孔が大きい箇所を通して落雷するようにしてショート不良にいたると考えられる。
【００２５】
以上のように、電気化学素子用セパレータの遮蔽性能の向上には、セパレータの空孔径の大きさのみでなく、空孔径のバラツキが小さいことも重要であることを見出した。
本実施の一形態例のセパレータは、繊維をシート状に堆積させて形成した不織布構造であり、不織布の形成方法として、例えば、以下の方法が挙げられる。
【００２６】
繊維を水中に分散し、抄紙法により網面から濾水することでシートを形成する。即ち、湿式不織布とする。湿紙不織布の形成方法としては、長網抄紙機や円網抄紙機、短網抄紙機、及びこれらの組み合わせなどが挙げられる。ただし、空孔径のバラツキが小さいことも重要であり、これが達成されるならば本実施の形態例に示す特定の抄紙法によるセパレータに限定されるものではない。
【００２７】
Ａ値を９０％以上とするための一手段として、例えば、フィブリル化した再生セルロース繊維を含有する湿式不織布を、調圧加工等により厚さ方向に加圧圧縮することで、Ａ値が９０％以上の不織布とすることができる。
フィブリル化が可能な繊維は、水中でせん断力を加えて処理（叩解）することで微細化され、この微細化された繊維から不織布を形成することで、シートの緻密性が向上する。
【００２８】
フィブリル化が可能な繊維として、再生セルロース繊維である溶剤紡糸セルロース繊維や、ポリノジック繊維を３０質量％以上含有することが特に好ましい。
これらの再生セルロース繊維は、高い結晶化度を有する。その繊維の内部構造は、セルロース結晶質部分と非晶質部分とからなっており、結晶質部分は非晶質部分を介して互いに接着して繊維を構成している。
【００２９】
この繊維を叩解すると非晶質部分が破壊され、結晶質部分が繊維から剥離し直径１μｍ以下のフィブリルが発生する。このフィブリル化再生セルロース繊維により構成されたセパレータは非常に緻密なシートとなる。またこのフィブリルは、結晶化度が非常に高いセルロースであるため剛性も高く、抄造工程におけるプレスによってもフィブリル自体は偏平に潰れることが少なく円形に近い断面形状を維持し、フィブリル同士は、接触点の交絡及び水素結合により紙層を形成する。
【００３０】
したがって、当該フィブリル化再生セルロース繊維を含有するセパレータは、緻密な紙質となりながらも、イオン流路が冗長にならずイオン透過性の優れたものとなる。
フィブリル化した再生セルロース繊維の含有量が３０質量％未満のとき、セパレータの遮蔽性能が低下し電気化学素子のショート不良が増加するか、セパレータのイオン透過性が低下することにより電気化学素子の抵抗値が増大する。
【００３１】
フィブリル化再生セルロース繊維以外の繊維を含有させることも可能であり、合成繊維やその他のセルロース繊維を特に限定なく使用できる。
合成繊維としては、例えば、ポリエチレンテレフタレート繊維のようなポリエステル繊維、ポリアクリロニトリル繊維のようなアクリル繊維、ナイロン繊維やアラミド繊維のようなポリアミド繊維、ポリフェニレンスルフィド繊維などがあげられる。
【００３２】
その他のセルロース繊維としては、例えば、フィブリル化していない再生セルロース繊維、広葉樹や針葉樹などの木材パルプ、マニラ麻やサイザル、ジュート、エスパルトなどの非木材パルプが挙げられる。
【００３３】
パルプのパルプ化方法としては、クラフト法、サルファイト法、ソーダ法などが使用でき、通常の製紙用パルプだけでなく溶解パルプやマーセル化パルプであっても使用できる。また、漂白されたものであってもよい。
【００３４】
この不織布の調厚加工としては、例えば、カレンダロールやタッチロールなどの加圧圧縮設備等を使用することが望ましい。カレンダロールやタッチロールは、樹脂製であっても金属製であってもよい。また、これらの組み合わせでもよい。
また、加圧圧縮の際、必要に応じて加熱処理をおこなってもよい。
【００３５】
なお、線圧が過大にかかると、シートに過剰な圧力がかかることとなり、繊維同士が融合するように結着してフィルム状になってしまい、セパレータの抵抗値が増大しやすくなる。
また、線圧が過小であると、所望の空孔径比率まで低減できず、Ａ値を９０％以上にできなくなる。
【００３６】
不織布は、繊維と繊維とが重なったシートであり、シート内部には繊維が存在しない空間が存在する。本実施の形態例では、シートを形成後に加圧圧縮することで、この空間を減少させ、繊維間距離を短くして空孔径を制御している。
セパレータの厚さが薄くなると、セパレータの遮蔽性能は低下する場合が多い。
【００３７】
一方、本実施の形態例では、加圧圧縮することにより、不織布中の繊維自体も潰され、やや扁平な形状となる。このため、不織布の厚さ方向の緻密性が高まり、加圧圧縮により薄くしても遮蔽性の低下がない。
そして、セパレータの最頻空孔値の頻度を、全区間の頻度に対して６０％以上とすることがより好ましい。
【００３８】
セパレータの最頻空孔値の頻度（以下「Ｂ値」と称する。）が６０％以上とは、セパレータに存在する空孔が特定の径に特に集中していることを示す。
Ｂ値が６０％未満では、空孔径のバラツキを一定のレベルから小さくできない。
なお、本実施の形態例における最頻空孔値とは、「ＡＳＴＭ  Ｆ３１６−０３の『ＴＥＳＴ  ＭＥＴＨＯＤ  Ｂ』」による空孔径分布の最頻値である。
【００３９】
セパレータのＢ値を６０％以上とする一手段として、本実施の形態例では、セパレータに用いるフィブリル化再生セルロース繊維の叩解の程度に注目した。
この叩解の程度を示す指標として、本実施の形態例では、「ＪＩＳ  Ｐ８１２１−２」による濾水度（ＣＳＦ値）を用いる。
【００４０】
叩解可能な繊維を叩解していくと、ＣＳＦ値は徐々に低下し、下限に到達する。ここで、更に叩解を進めると、ＣＳＦ値はその後再び上昇に転じる。
本実施の形態例のセパレータに用いる繊維のＣＳＦ値は、低下しているＣＳＦ値で１００ｍｌ以下、上昇しているＣＳＦ値で７００ｍｌ以下の範囲が好ましい。
【００４１】
低下しているＣＳＦ値が１００ｍｌより大きいと、繊維の叩解の程度が低いため、セパレータのＢ値が６０％未満となりやすく、遮蔽性能を向上できない。また、上昇しているＣＳＦ値がさらに増えて７００ｍｌを超えた場合は、繊維が微細になりすぎ、抄紙時に抄紙網から抜け落ちる繊維が増加するため、Ｂ値が６０％未満となりやすい。
【００４２】
本実施の形態例のセパレータに使用する再生セルロース繊維の叩解に用いる設備は、通常の抄紙原料の調製に使用されるものであればいずれでもよい。例えば、ビーター、コニカルリファイナー、ディスクリファイナー、高圧ホモジナイザーなどを使用することができる。
【００４３】
そして、セパレータの最頻空孔値±１０％の範囲の頻度を、全区間の頻度に対して７５％以上とすることがより好ましい。
セパレータの最頻空孔値±１０％の範囲の頻度（以下「Ｃ値」と称する。）が全区間の７５％以上とは、セパレータに存在する空孔の大部分が、特定の径及びその近辺に分布していることを示し、セパレータのバラツキが更に小さくなるので、より遮蔽性能を向上させられる。
【００４４】
Ｃ値が７５％未満では、空孔径のバラツキを一定のレベルから小さくできない。
本実施の形態例のセパレータの空隙率は、３５〜８０％であることが好ましい。
セパレータの空隙率が３５％未満では、不織布中に占める空間が少なすぎ、電解液の保持量が減少し、電気化学素子の容量低下や、抵抗値増大に繋がる。
【００４５】
空隙率が８０％を超過すると、セパレータの緻密性も低下する場合があるため、遮蔽性を向上できない。遮蔽性の観点から、セパレータの空隙率は、３５〜６５％がより好ましく、３５〜５５％が更に好ましい。
【００４６】
本実施の形態例のセパレータの厚さは、５〜３０μｍが好ましい。
セパレータの厚さが５μｍ未満であると、本発明の技術を持ってしても、一対の電極間の距離が短くなるためショート不良率を低減できない。３０μｍを超過すると、電極間距離が長くなるため、電気化学素子の抵抗値が増大する。
【００４７】
〔セパレータ物性の測定方法〕
以下に説明する実施例、比較例および従来例にかかるセパレータの各測定値は次の方法で測定している。
〔ＣＳＦ値〕
「ＪＩＳ  Ｐ８１２１−２  パルプ−ろ水度試験法−第２部：カナダ標準ろ水度法」に従い測定している。
【００４８】
〔厚さ〕
「ＪＩＳ  Ｃ２３００−２  『電気用セルロース紙-第２部：試験方法』  ５．１  厚さ」に規定された、「５．１．１  測定器及び測定方法 a外側マイクロメータを用いる場合」のマイクロメータを用いて、「５．１．３  紙を折り重ねて厚さを測る場合」の１０枚に折り重ねる方法でセパレータの厚さを測定している。
【００４９】
〔空隙率〕
以下の式１により、セパレータの空隙率を求めている。
（セパレータの真比重−セパレータ密度）／セパレータの真比重×１００（％）    式１
例えば、密度０．４ｇ／ｃｍ3のセルロースのみからなるセパレータの空隙率は、以下のようにして求めている。
【００５０】
本実施の形態例では、セルロースの真比重を１．５とし、上記式にあてはめ、（１．５−０．４）／１．５×１００＝７３．３（％）となる。
また例えば、比重１．２の合成繊維を３０質量％、比重１．５のセルロース繊維を７０質量％含有する密度０．４５ｇ／ｃｍ3のセパレータでは、セパレータの比重は１．５×０．７＋１．２×０．３＝ １．４１となる。そして上記式にあてはめ、空隙率は（１．４１−０．４５）／１．４１×１００＝６８．１（％）となる。
【００５１】
〔密度〕
「ＪＩＳ  Ｃ２３００−２  『電気用セルロース紙-第２部：試験方法』  ７．０Ａ  密度」のＢ法に規定された方法で絶乾状態のセパレータの密度を測定している。
〔Ａ値、Ｂ値、及びＣ値〕
ＣＦＰ−１２００−ＡＥＸＬ−ＥＳＡ（Ｐｏｒｏｕｓ  Ｍａｔｅｒｉａｌｓ，Ｉｎｃ．社製）を用いて、「ＡＳＴＭ  Ｆ３１６−０３の『ＴＥＳＴ  ＭＥＴＨＯＤ  Ｂ』」により、区間幅０．０１μｍで空孔径分布を求めた。試験液としてＧＡＬＷＩＣＫ（Ｐｏｒｏｕｓ Ｍａｔｅｒｉａｌｓ，Ｉｎｃ社製）を用いている。
【００５２】
なお、０．０１５μｍの空孔は０．０２μｍの区間に、また０．０２０μｍの空孔は０．０２μｍの区間に振り分けた。
この空孔径分布を用いて、全区間のうち、区間０．０５〜１．００μｍの比率（％）を求め、Ａ値とした。
そして、この空孔径分布の最頻空孔値の頻度（％）を読み取り、Ｂ値とした。
更に、この最頻空孔値±１０％の空孔値区間範囲の頻度（％）を求め、Ｃ値とした。
【００５３】
〔セパレータを使用したリチウムイオン二次電池の製作〕
以下、本実施の形態例のセパレータを用いたリチウムイオン二次電池の製作方法を説明する。具体的には、リチウムイオン二次電池として、円筒形リチウムイオン二次電池及びコイン型リチウム二次電池の２種類を作製した。
【００５４】
円筒型リチウムイオン二次電池は、以下のように作製した。
正極材として、リチウムイオン二次電池用のコバルト酸リチウム電極を用い、負極材としてグラファイト電極を用い、セパレータと共に捲回し、リチウムイオン二次電池素子を得た。その素子を有底円筒状のケース内に収納し、エチレンカーボネートとジエチルカーボネートの混合溶媒に、電解質として六フッ化リン酸リチウムを溶解した電解液を注入し、プレス機で封口して、定格電圧３．７Ｖ、定格容量３０００ｍＡｈ、直径１８ｍｍ、高さ６５ｍｍの円筒型リチウムイオン二次電池を作製した。
【００５５】
コイン型リチウムイオン二次電池は、以下のように作製した。
正極材として、リチウムイオン二次電池用のコバルト酸リチウム電極を用い、負極材としてグラファイト電極を用い、セパレータを介在させて積層した。次に、ジエチルカーボネートとエチレンカーボネートとの混合溶媒に、電解質として六フッ化リン酸リチウムを溶解した電解液を含浸させ、かしめ封口して、定格電圧３．６Ｖ、定格容量３０ｍＡｈ、直径２０ｍｍ、高さ３．２ｍｍのコイン型リチウムイオン二次電池を作製した。
【００５６】
〔セパレータを使用した電気二重層キャパシタの製作〕
以下、本実施の形態例のセパレータを用いた電気二重層キャパシタの製作方法を説明する。
活性炭電極と本発明のセパレータとを交互に折り重ね、電気二重層キャパシタ素子を得た。その素子をアルミニウムケースに収納し、アセトニトリルにトリエチルメチルアンモニウムヘキサフルオロホスフェイトを溶解した電解液を注入し、真空含浸を行った後に密封して、定格電圧２．５Ｖ、定格容量３０００Ｆ、サイズ５５×５５×１５５ｍｍ（Ｗ×Ｄ×Ｌ）の電気二重層キャパシタを作製した。
【００５７】
〔セパレータを使用したアルミニウム電解コンデンサの製作〕
以下、本実施の形態例のセパレータを用いたアルミニウム電解コンデンサの製作方法を説明する。
エッチング処理および酸化皮膜形成処理を行った陽極アルミ箔と陰極アルミ箔とを、セパレータを介在させて捲回してコンデンサ素子を得た。このコンデンサ素子に電解液を含浸させ、ケースに入れた後に封口して、直径１０ｍｍ、高さ２０ｍｍ、定格電圧６３Ｖ、定格容量１２０μＦのアルミニウム電解コンデンサを作製した。なお、コンデンサ素子を作製する際の陽極アルミニウム箔の長さは一定とした。
【００５８】
各電気化学素子は、各例につき１０００個作製し、以下の特性評価に用いた。
〔電気化学素子の特性評価方法〕
本実施の形態例の電気化学素子の特性評価は、以下の条件及び方法で行った。
〔ショート不良率〕
電気化学素子のショート不良率は、定格電圧まで充電電圧が上がらなかった場合をショート不良とみなし、これらのショート不良となった電気化学素子の個数を、静電容量測定に供した電気化学素子数で除して、百分率をもってショート不良率とした。
【００５９】
〔過充電試験不良率〕
コイン型及び円筒型のリチウムイオン二次電池にて実施し、過充電試験不良率を、セパレータの遮蔽性の指標とした。本試験は、通常のショート不良試験では差が現れないようなセパレータの遮蔽性の違いを数値化するためにおこなったものである。
具体的には、作製したリチウムイオン二次電池を６０℃にて１．０Ｃレートで５．０Ｖまで定電流充電した際に、定格電圧まで充電電圧が上がらなかった場合を不良とみなし、これらの不良となった電気化学素子の個数を、静電容量測定に供した電気化学素子数で除して、百分率をもって過充電試験不良率とした。
【００６０】
〔内部抵抗〕
リチウムイオン二次電池の内部抵抗は、「ＪＩＳ  Ｃ  ８７１５−１  『産業用リチウム二次電池の単電池及び電池システム−第一部：性能要求事項』」に規定された、「８．６．３交流内部抵抗」に従い測定した。
電気二重層キャパシタの内部抵抗は、「ＪＩＳ  Ｃ  ５１６０−１  『電子機器用固定電気二重層コンデンサ』」に規定された、「４．６内部抵抗」の交流（ａ．ｃ．）抵抗法により測定した。
【００６１】
〔アルミニウム電解コンデンサのインピーダンス〕
アルミニウム電解コンデンサのインピーダンスは、２０℃、１００ｋＨｚの周波数でＬＣＲメータを用いて測定した。
〔放電容量〕
リチウムイオン二次電池の放電容量は、「ＪＩＳ  Ｃ  ８７１５−１  『産業用リチウム二次電池の単電池及び電池システム−第一部：性能要求事項』」に規定された、「８．４．１放電性能試験」に従い測定した。
【００６２】
〔静電容量〕
電気二重層キャパシタの静電容量は、「ＪＩＳ  Ｃ  ５１６０−１  『電子機器用固定電気二重層コンデンサ』」に規定された、「４．５静電容量」の定電流放電法により求めた。
アルミニウム電解コンデンサの静電容量は、２０℃、１００Ｈｚの周波数でＬＣＲメータを用いて測定した。
【００６３】
以下、本発明に係る一発明の実施の形態例に係る具体的な実施例と、比較例及び従来例について説明する。
なお、各例のＣＳＦ値は、特に記載が無い限り、低下している段階のＣＳＦ値を示す。
【００６４】
[実施例１]
再生セルロース繊維である溶剤紡糸セルロース繊維（具体的にはリヨセル（登録商標）繊維を用いる。）１００質量％を叩解しＣＳＦ値１００ｍｌの原料を得た。この原料を長網抄紙機で抄紙した後、樹脂ロールと金属ロールとを用いて線圧０．５ｋＮ／ｃｍで調厚処理し、厚さ２０μｍ、密度０．３５ｇ／ｃｍ3のセパレータを得た。この実施例１のセパレータの空隙率は７６．７％、Ａ値は９０．５％、最頻空孔値０．７０μｍ、Ｂ値６４．９％、Ｃ値７６．８％であった。
【００６５】
[実施例２]
溶剤紡糸セルロース繊維を３０質量％と、広葉樹溶解パルプ（ＬＤＰ）７０質量％とを混合叩解し、ＣＳＦ値０ｍｌの原料を得た。この原料を長網抄紙機で抄紙した後、樹脂ロールと金属ロールとを用いて線圧１．０ｋＮ／ｃｍで調厚処理し、厚さ３０μｍ、密度０．５０ｇ／ｃｍ3のセパレータを得た。この実施例２のセパレータの空隙率は６６．７％、Ａ値は１００％、最頻空孔値０．４０μｍ、Ｂ値７０．２％、Ｃ値７８．５％であった。
【００６６】
[参考例１]
溶剤紡糸セルロース繊維を叩解してＣＳＦ値１５０ｍｌの原料を得た。この原料を長網抄紙機で抄紙した後、樹脂ロールと金属ロールとを用いて線圧４．０ｋＮ／ｃｍで調厚処理し、厚さ３０μｍ、密度０．６０ｇ／ｃｍ3のセパレータを得た。このセパレータの空隙率は６０．０％、Ａ値９２．０％、最頻空孔値０．５１μｍ、Ｂ値５５．１％、Ｃ値８９．０％であった。
【００６７】
[参考例２]
溶剤紡糸セルロース繊維を叩解してＣＳＦ値７５ｍｌの原料を得た。この原料を長網抄紙機でシート形成した後、樹脂製タッチロールを用いて線圧０．３ｋＮ／ｃｍで加圧圧縮し、厚さ２５μｍ、密度０．２７ｇ／ｃｍ3のセパレータを得た。このセパレータの空隙率は８２．０％、Ａ値９２．０％、最頻空孔値０．８２μｍ、Ｂ値６２．３％、Ｃ値７３．０％であった。
【００６８】
[比較例１]
溶剤紡糸セルロース繊維を叩解して上昇しているＣＳＦ値６８０ｍｌの原料を得た。この原料を長網抄紙機でシート形成した後、樹脂製タッチロールを用いて線圧０．２ｋＮ／ｃｍで加圧圧縮し、厚さ３０μｍ、密度０．６５ｇ／ｃｍ3のセパレータを得た。このセパレータの空隙率は５６．７％、Ａ値７５．０％、最頻空孔値０．７１μｍ、Ｂ値６７．３％、Ｃ値７６．６％であった。
【００６９】
[比較例２]
溶剤紡糸セルロース繊維を叩解してＣＳＦ値０ｍｌの原料を得た。この原料を長網抄紙機で抄紙した後、樹脂ロールと金属ロールとを用いて線圧０．３ｋＮ／ｃｍで調厚処理し、厚さ４０μｍ、密度０．３３ｇ／ｃｍ3のセパレータを得た。このセパレータの空隙率は７８．０％、Ａ値９７．７％、最頻空孔値０．４２μｍ、Ｂ値７１．１％、Ｃ値８５．４％であった。
【００７０】
[従来例１]
厚さ２５μｍ、空隙率３６．８％のポリエチレン製の市販の微多孔膜を従来例１のセパレータとした。このセパレータのＡ値は２１．６％、最頻空孔値０．０３μｍ、Ｂ値８８．０％、Ｃ値９６．６％であった。
[実施例３]
溶剤紡糸セルロース繊維を叩解して上昇しているＣＳＦ値３５０ｍｌの原料を得た。この原料を長網抄紙機で抄紙した後樹脂ロールと金属ロールとを用いて線圧５．５ｋＮ／ｃｍで調厚処理し、厚さ５μｍ、密度０．７０ｇ／ｃｍ3のセパレータを得た。このセパレータの空隙率は５３．３％、Ａ値１００．０％、最頻空孔値０．４５μｍ、Ｂ値７９．０％、Ｃ値９１．０％であった。
【００７１】
[実施例４]
上昇しているＣＳＦ値６５０ｍｌの溶剤紡糸セルロース繊維８５質量％と、ポリエチレンテレフタレート繊維（ＰＥＴ繊維）１５質量％とを混合し、抄紙原料を得た。
この原料を長網抄紙機で抄紙した後、金属ロールと金属ロールとを用いて線圧７．５ｋＮ／ｃｍで調厚処理し、厚さ１５μｍ、密度０．８５ｇ／ｃｍ3のセパレータを得た。このセパレータの空隙率は３９．２％、Ａ値１００．０％、最頻空孔値０．２８μｍ、Ｂ値７８．９％、Ｃ値９３．５％であった。
【００７２】
[比較例３]
実施例３と同じ原料を用いて、長網抄紙機で抄紙した後、金属ロールと金属ロールとを用いて線圧７．０ｋＮ／ｃｍで調厚処理し、厚さ３μｍ、密度０．９０ｇ／ｃｍ3のセパレータを得た。このセパレータの空隙率は３７．８％、Ａ値１００．０％、最頻空孔値０．４７μｍ、Ｂ値６０．６％、Ｃ値９２．２％であった。
【００７３】
[比較例４]
溶剤紡糸セルロース繊維を叩解して上昇しているＣＳＦ値５００ｍｌの原料を得た。この原料を長網抄紙機で抄紙した後、金属ロールと金属ロールとを用いて線圧８．０ｋＮ／ｃｍで調厚処理し、厚さ５μｍ、密度１．０５ｇ／ｃｍ3のセパレータを得た。このセパレータの空隙率は３０．０％、Ａ値９５．７％、最頻空孔値０．２１μｍ、Ｂ値８８．８％、Ｃ値９５．７％であった。
【００７４】
[従来例２]
厚さ２５μｍ、空隙率３２．０％のポリエチレン製の微多孔膜に、アルミナ粉末を塗布乾燥し、厚さ３０μｍ、空隙率５７．６％のセパレータを得た。このセパレータのＡ値は５．０％、最頻空孔値０．０２μｍ、Ｂ値９１．７％、Ｃ値９８．０％であった。
【００７５】
実施例１及び実施例２、参考例１及び参考例２、比較例１及び比較例２、従来例１で得たセパレータを用いて、定格電圧３．６Ｖ、定格容量３０ｍＡｈ、直径２０ｍｍ、高さ３．２ｍｍのコイン型リチウムイオン二次電池、および定格電圧６３Ｖ、定格容量１２０μＦ、直径１０ｍｍ、高さ２０ｍｍのアルミニウム電解コンデンサを作製し、評価した。
これらのセパレータの諸物性、リチウムイオン二次電池及びアルミニウム電解コンデンサの評価結果を、表１に示す。
【００７６】
【表１】
2017183363.tif 000002
【００７７】
実施例３及び実施例４、比較例３及び比較例４、従来例２で得たセパレータを用いて、定格電圧３．７Ｖ、定格容量３０００ｍＡｈ、直径１８ｍｍ、高さ６５ｍｍの円筒型リチウムイオン二次電池、および定格電圧２．５Ｖ、定格容量３０００Ｆ、サイズ５５×５５×１５５ｍｍ（Ｗ×Ｄ×Ｌ）の積層型電気二重層キャパシタを作製し、評価した。
【００７８】
これらのセパレータの諸物性、リチウムイオン二次電池及び電気二重層キャパシタの評価結果を、表２に示す。
【表２】
2017183363.tif 000003
【００７９】
以下、各実施例、比較例、従来例について、評価結果を詳細に説明する。
実施例１及び実施例２のセパレータは厚さが２０〜３０μｍ、Ａ値が９０％以上であり、またＢ値が６０％以上、Ｃ値が７５％以上であり、空隙率が３５〜８０％の範囲にある。この実施例１乃至６のセパレータを用いて作製したリチウムイオン二次電池及びアルミニウム電解コンデンサは、ショート不良の発生がない。また、内部抵抗値も従来例と比べ十分に小さい値である。
【００８０】
参考例１及び参考例２のリチウムイオン二次電池は、ショート不良の発生がなく、また内部抵抗も従来例と比べ十分に低い。しかしながら、過電圧試験の不良率が０．３％以上と、実施例１及び実施例２と比べ、わずかに高い。これは、参考例１ではセパレータのＢ値が５５．１％、参考例２ではセパレータのＣ値が７３．０％であるためと考えられる。
実施例１及び実施例２、参考例１及び参考例２から、セパレータのＢ値は６０％以上、Ｃ値は７５％以上が好ましいとわかる。
【００８１】
比較例１のセパレータのＡ値は７５．０％である。そして、比較例１のセパレータを用いたリチウムイオン二次電池及びアルミニウム電解コンデンサでは、ショート不良が発生している。比較例１のセパレータは、実施例１及び実施例２のセパレータよりも空隙率が低いにもかかわらずショート不良が発生していることから、セパレータのＡ値は９０．０％以上が好ましいとわかる。
【００８２】
比較例２のセパレータは、実施例１及び実施例２のセパレータよりも空隙率が高い。しかしながら、比較例２のセパレータを用いたリチウムイオン二次電池の内部抵抗値は、各実施例よりも１０％以上大きい。これは、比較例２のセパレータの厚さが４０μｍと厚いためであり、実施例１及び実施例２と比較例２とから、セパレータの厚さは３０μｍ以下が好ましいとわかる。
【００８３】
実施例３及び実施例４のセパレータは厚さが５〜１５μｍ、Ａ値が９０％以上であり、またＢ値が６０％以上、Ｃ値が７５％以上、空隙率が３５〜８０％の範囲にある。この実施例３及び実施例４のセパレータを用いて作製したリチウムイオン二次電池及び電気二重層キャパシタは、ショート不良の発生がない。また、内部抵抗値も従来例と比べ十分に小さい値である。
【００８４】
比較例３のセパレータは、実施例３と同じ原料を用いて厚さを３μｍに調整したセパレータであり、比較例３のセパレータの空隙率が低い。それにも関わらず、比較例３のセパレータを用いたリチウムイオン二次電池はショート不良が発生している。このことから、セパレータの厚さが５μｍを下回るとショート不良が発生する可能性があることがわかる。
【００８５】
比較例４のセパレータは、空隙率が３０．０％と低い。このため、比較例４のセパレータを用いたリチウムイオン二次電池の内部抵抗値が、同厚さである実施例３のセパレータを用いた電池と比べ、２０％以上大きい。また、比較例４よりも厚い実施例４のセパレータを用いたリチウムイオン二次電池の抵抗値と比べ、１０％以上大きい。実施例３及び実施例４と比較例４とから、セパレータの空隙率は３５％以上が好ましいとわかる。
【００８６】
そして本実施の形態例のセパレータは、いずれの実施例においても耐熱性に優れるセルロース繊維を用いており、従来使用されているポリオレフィン製多孔質膜と比べ、電気化学素子の耐熱性が高まり、その安全性も向上することが期待できる。
以上、本実施の形態のセパレータをリチウムイオン二次電池、電気二重層キャパシタ、アルミニウム電解コンデンサについて用いた例を説明した。
【００８７】
本発明にかかる発明の実施の形態例の電気化学素子としては、リチウムイオン二次電池、電気二重層キャパシタ、アルミニウム電解コンデンサに適用可能であり、電極材料及び電解液材料、その他の部材等については、特別に限定を必要とすることはなく、種々の材料を用いることができる。
また、本発明に係る一発明の実施の形態例の電気化学素子用セパレータは、以上に説明した以外の電気化学素子、例えばリチウムイオンキャパシタやリチウム一次電池といった電気化学素子に適用することも可能である。